(57)【要約】【課題】  カラー画像形成時における高周波クロックの発振周波数の変更を行った場合の時間を短縮する。【解決手段】  画像形成装置は、主走査ラインの基準となる同期検知信号を生成する先端同期検知手段と、１ラインの後端の位置を検出する後端同期検知手段と、前記先端同期検知信号と前記後端同期検知信号との間を計測する手段と、基準クロックから設定値に応じた高周波クロックを発生する各色共通の高周波クロック発生手段と、その高周波クロックを分周し、画素クロックとして基準周期、基準周期より短い周期または基準周期より長い周期のクロックのうち、いずれか１つを指定する画素クロック発生手段と、画素クロック発生手段に対して１画素毎に指定情報を制御する画素クロック制御手段とを備え、各色の２点同期間測定の結果に応じた高周波クロック周波数の調整と、前記画素クロック制御手段による基準周期でない画素クロックを挿入する画素数及びその挿入間隔の制御とによって主走査倍率補正を行い、前記高周波クロック周波数の調整を、測定した複数色の主走査倍率の状態に応じて実施する。【選択図】  図７
2006044191.tif 000002
【特許請求の範囲】
【請求項１】
複数の光源の各々から発生する光ビームのそれぞれを画像信号によって変調し、スキャナ光学系を介して感光体上に照射することにより感光体上に画像を形成する画像形成装置であって、
主走査ラインの基準となる同期検知信号を生成する先端同期検知手段と、
１ラインの後端の位置を検出する後端同期検知手段と、
前記先端同期検知信号と前記後端同期検知信号との間を計測する手段と、
基準クロックから設定値に応じた高周波クロックを発生する各色共通の高周波クロック発生手段と、
その高周波クロックを分周し、画素クロックとして基準周期、基準周期より短い周期または基準周期より長い周期のクロックのうち、いずれか１つを指定する画素クロック発生手段と、
画素クロック発生手段に対して１画素毎に指定情報を制御する画素クロック制御手段とを備え、
各色の２点同期間測定の結果に応じた高周波クロック周波数の調整と、前記画素クロック制御手段による基準周期でない画素クロックを挿入する画素数及びその挿入間隔の制御とによって主走査倍率補正を行い、前記高周波クロック周波数の調整を、測定した複数色の主走査倍率の状態に応じて実施することを特徴とする画像形成装置。
【請求項２】
請求項１記載の画像形成装置において、前記高周波クロック周波数の調整を行った場合の設定値を記憶し、記憶した設定値を主走査倍率補正の際の高周波クロックの初期設定値として用いることを特徴とする画像形成装置。
【請求項３】
請求項１または２記載の画像形成装置において、前記高周波クロック周波数の調整は、各色の２点同期間測定の結果から算出した主走査倍率ずれ量の最大値が規定値以上の場合にのみ実施することを特徴とする画像形成装置。
【請求項４】
請求項１または２記載の画像形成装置において、前記高周波クロック周波数の調整は、各色の２点同期間測定の結果から算出した複数色の主走査倍率の平均値が規定値以上の場合にのみ実施することを特徴とする画像形成装置。
【請求項５】
請求項１〜４のいずれか１項記載の画像形成装置において、前記高周波クロックの調整は、印字動作開始時にのみ実施することを特徴とする画像形成装置。
【発明の詳細な説明】
【技術分野】
【０００１】
本発明は、カラープリンタ、カラー複写機、カラーファクシミリ等のカラー画像を形成する画像形成装置に関し、特に、主走査倍率補正機能を備えた画像形成装置に関する。
【背景技術】
【０００２】
電子写真方式によってカラー画像を形成する画像形成装置に採用されている作像プロセスの１つにタンデムタイプと称される方式がある。この方式は、作像する色毎に感光ドラム等の感光体と、感光体に対する作像プロセス要素を備え、これらの感光体及び作像プロセス要素を中間転写体や用紙搬送ベルトに沿って配置して各色毎に形成された画像を中間転写体上で重ね合わせ、重ね合わされたフルカラー画像を用紙に１度に転写したり、搬送ベルトによって搬送される用紙が各感光体の転写プロセスを通過するたびにその感光体上に形成された色の画像を転写し、全ての転写ステーションを通過させてフルカラー画像を形成する。
【０００３】
後者の画像形成においては、レーザスキャナと感光体との間の光学的距離に誤差があり、この誤差が各画像形成部で異なると、感光体上でのレーザビームの主走査倍率に違いが生じて色ずれ（位置ずれ）が発生する。
【０００４】
また、ビーム走査方向（主走査方向）に対してレーザスキャナや感光体の位置がずれ、且つこの位置ずれが各画像形成部で異なる場合にも、最終的な画像に色ずれが発生する。
【０００５】
図１０は、このような色ずれを低減するため、特開２０００−２２１４３１号公報等に記載された従来の画像形成装置における画素クロック生成部のブロック図を示す。
【０００６】
この画素クロック生成部では、Ｋ、Ｍ、Ｃ、Ｙの各色毎にＰＬＬ部（５１）を備えている。ＰＬＬ部（５１）は、高周波クロックを発生するものであり、それぞれのＰＬＬ部（５１）は  １／Ｍ分周器（５２）と、位相比較器＋ＬＰＦ＋ＶＣＯ（５３）と、１／Ｎ分周器（５４）とを有し、基準クロック（ＲＥＦＣＬＫ）をＭ分周した信号と、各色画素クロック（Ｋ＿ＷＣＬＫ、Ｍ＿ＷＣＬＫ、Ｃ＿ＷＣＬＫ、Ｙ＿ＷＣＬＫ）をＮ分周した信号を位相比較器＋ＬＰＦ＋ＶＣＯ（５３）に入力し、各色高周波クロック（Ｋ＿ＰＬＬＣＬＫ、Ｍ＿ＰＬＬＣＬＫ、Ｃ＿ＰＬＬＣＬＫ、Ｙ＿ＰＬＬＣＬＫ）を生成する。
【０００７】
１／Ｋ分周器５５では、同期検知センサからの各色同期検知信号（Ｋ＿ＤＥＴＰ＿Ｎ、Ｍ＿ＤＥＴＰ＿Ｎ、Ｃ＿ＤＥＴＰ＿Ｎ、Ｙ＿ＤＥＴＰ＿Ｎ）を基準として、高周波クロックをＫ分周して画素クロック（Ｋ＿ＷＣＬＫ、Ｍ＿ＷＣＬＫ、Ｃ＿ＷＣＬＫ、Ｙ＿ＷＣＬＫ）を生成する。内部同期信号生成部（５６）では、画素クロックに同期した内部同期信号（Ｋ＿ＰＳＹＮＣ＿Ｎ、Ｍ＿ＰＳＹＮＣ＿Ｎ、Ｃ＿ＰＳＹＮＣ＿Ｎ、Ｙ＿ＰＳＹＮＣ＿Ｎ）を生成する。
【０００８】
各色の画像形成部はこの画素クロック、内部同期信号によって動作することになる。このとき、画素クロック周波数は、ｆｗｃｌｋ＝ＰＬＬＣＬＫ／Ｋ＝（ｆｒｅｆｃｌｋ／Ｍ×Ｎ）／Ｋとなる。
【０００９】
主走査の倍率補正を行う場合は、上記２つの同期検知センサの通過時間を画素クロックによりカウントすることによって計測し、それらのカウント値と予め設定された基準カウント値とが一致するようにＭとＮの値を調整する。このことにより、画素クロック周波数の変更を行う。
【特許文献１】特開２０００−２２１４３１号公報
【発明の開示】
【発明が解決しようとする課題】
【００１０】
しかしながら、図１０の構造では、複数の光ビームの各色毎にＰＬＬ部を備えているためコストアップとなる。また、ＰＬＬ部の発振周波数の変更を行った場合、変更を行ったＰＬＬ部の発振が安定するまでに一定の時間を要するため、印字速度が低下する問題を有している。
【００１１】
本発明は、このような従来の問題点を考慮してなされたものであり、ＰＬＬ部の発振周波数の変更を行った場合の時間を短縮でき、しかもＰＬＬ部の数を減少させることが可能な画像形成装置を提供することを目的とする。
【課題を解決するための手段】
【００１２】
請求項１記載の発明は、複数の光源の各々から発生する光ビームのそれぞれを画像信号によって変調し、スキャナ光学系を介して感光体上に照射することにより感光体上に画像を形成する画像形成装置であって、主走査ラインの基準となる同期検知信号を生成する先端同期検知手段と、１ラインの後端の位置を検出する後端同期検知手段と、前記先端同期検知信号と前記後端同期検知信号との間を計測する手段と、基準クロックから設定値に応じた高周波クロックを発生する各色共通の高周波クロック発生手段と、その高周波クロックを分周し、画素クロックとして基準周期、基準周期より短い周期または基準周期より長い周期のクロックのうち、いずれか１つを指定する画素クロック発生手段と、画素クロック発生手段に対して１画素毎に指定情報を制御する画素クロック制御手段とを備え、各色の２点同期間測定の結果に応じた高周波クロック周波数の調整と、前記画素クロック制御手段による基準周期でない画素クロックを挿入する画素数及びその挿入間隔の制御とによって主走査倍率補正を行い、前記高周波クロック周波数の調整を、測定した複数色の主走査倍率の状態に応じて実施することを特徴とする。
【００１３】
請求項２記載の発明は、請求項１記載の画像形成装置において、前記高周波クロック周波数の調整を行った場合の設定値を記憶し、記憶した設定値を主走査倍率補正の際の高周波クロックの初期設定値として用いることを特徴とする。
【００１４】
請求項３記載の発明は、請求項１または２記載の画像形成装置において、前記高周波クロック周波数の調整は、各色の２点同期間測定の結果から算出した主走査倍率ずれ量の最大値が規定値以上の場合にのみ実施することを特徴とする。
【００１５】
請求項４記載の発明は、請求項１または２記載の画像形成装置において、前記高周波クロック周波数の調整は、各色の２点同期間測定の結果から算出した複数色の主走査倍率の平均値が規定値以上の場合にのみ実施することを特徴とする。
【００１６】
請求項５記載の発明は、請求項１〜４のいずれか１項記載の画像形成装置において、前記高周波クロックの調整は、印字動作開始時にのみ実施することを特徴とする。
【発明の効果】
【００１７】
本発明の画像形成装置によれば、主走査倍率の補正を各色の２点同期間測定の結果に応じた高周波クロック周波数の調整と、画素クロック制御手段による基準周期でない画素クロックを挿入する画素数及びその挿入間隔の制御とによって行い、測定した複数色の主走査倍率の状態に応じて高周波クロック周波数の調整を実施するため、高周波クロック発生手段の発信周波数変更による時間を短縮することができる。また、高周波クロック発生手段を各色共通に用いることができるため、構成が簡単となり、安価に提供することができる。
【発明を実施するための最良の形態】
【００１８】
図１〜図７は、本発明の一実施の形態を示し、図１はカラー画像形成を行う画像形成装置の配置を示す側面図、図２は図１における露光器を構成する光学ユニットの平面図、図３は画素クロック生成手段のブロック図、図４はその作動のタイミングチャート、図５は画素データ制御手段のブロック図、図６はその作動のタイミングチャート、図７は主走査倍率補正を行うフローチャートである。
【００１９】
この実施の形態では、タンデムタイプにおいて、転写紙が各感光体の転写プロセスを通過するたびに感光体上に形成された色の画像を転写紙に転写し、全ての転写ステーションを通過させてフルカラー画像を形成するカラー画像形成装置に適用している。
【００２０】
この実施の形態の画像形成装置では、図１に示すように、各々異なる色（イエロー：Ｙ、マゼンタ：Ｍ、シアン：Ｃ、ブラック：Ｋ）の画像を形成する画像形成部（１００Ｙ）、（１００Ｍ）、（１００Ｃ）、（１００Ｋ）が、転写紙（１）を搬送する搬送ベルト（２）に沿って搬送方向上流側に一列に配置されている。
【００２１】
搬送ベルト（２）は、一方が駆動回転する駆動ローラと他方が従動回転する従動ローラである搬送ローラ（３）、（４）との間に張設されており、駆動側の搬送ローラ（３）の回転により矢印方向に回転駆動される。搬送ベルト（２）の下部には、転写紙（１）が収納された給紙トレイ（５）が備えられている。収納された転写紙（１）のうち最上位置にある転写紙が画像形成時に給紙され、静電吸着によって搬送ベルト（２）上に吸着される。吸着された転写紙（１）は、第１の画像形成部（１００Ｙ）に搬送され、ここでイエローの画像形成が行われる。
【００２２】
第１の画像形成部（１００Ｙ）は、感光体ドラム（６Ｙ）と感光体ドラム（６Ｙ）の周囲に配置された帯電器（７Ｙ）、露光器（８）、現像器（９Ｙ）、感光体クリーナ（１０Ｙ）から構成されている。感光体ドラム（６Ｙ）の表面は、帯電器（７Ｙ）で一様に帯電された後、露光器（８）によりイエローの画像に対応したレーザー光（１１Ｙ）で露光され、静電潜像が形成される。感光ドラム（６Ｙ）上に形成された静電潜像は現像器（９Ｙ）で現像され、感光体ドラム（６Ｙ）上にトナー像が形成される。このトナー像は感光体ドラム（６Ｙ）と搬送ベルト（２）上の転写紙（１）と接する位置（転写位置）で転写器（１２Ｙ）によって転写され、転写紙（１）上に単色（イエロー）の画像を形成する。転写が終わった感光体ドラム（６Ｙ）は、ドラム表面に残った不要なトナーを感光体クリーナ（１０Ｙ）によってクリーニングされ、次の画像形成に備えることとなる。
【００２３】
このようにして第１の画像形成部（１００Ｙ）で単色（イエロー）を転写された転写紙（１）は、搬送ベルト（２）によって第２の画像形成部（１００Ｍ）に搬送されてマゼンタの画像が形成される。ここでも、同様に感光体ドラム（６Ｍ）上に形成されたトナー像（マゼンタ）は、転写紙（１）上に重ねて転写される。
【００２４】
転写紙（１）は、さらにシアンの画像を形成する第３の画像形成部（１００Ｃ）、ブラックの画像を形成する第４の画像形成部（１００Ｋ）に搬送され、同様に形成されたＭ、Ｃ、Ｋのトナー像が順に転写されてカラー画像が形成される。第４の画像形成部（１００Ｋ）を通過してカラー画像が形成された転写紙（１）は、搬送ベルト（２）から剥離され、定着器（１３）で定着処理された後、排紙される。なお、以下の説明では、第２、第３及び第４の画像形成部（１００Ｍ）、（１００Ｃ）、（１００Ｋ）の各作像プロセス要素は、第１の画像形成部（１００Ｙ）と色を示す添字を変えて示し、重複する各部の説明は省略する。
【００２５】
図２は、図１における露光器（８）を構成する光学ユニットを示している。
同図において、ＬＤユニットＢＫ（１６）及びＬＤユニットＹ（１７）からの光ビームはシリンダレンズＣＹＬ＿ＢＫ（１８）、ＣＹＬ＿Ｙ（１９）を通り、反射ミラーＢＫ（２０）及び反射ミラーＹ（２１）によってポリゴンミラー（２２）の下部側の面に入射し、ポリゴンミラー（２２）が回転することにより光ビームを偏向し、ｆθレンズＢＫＣ（２３）及びｆθレンズＹＭ（２４）を通り、第１ミラーＢＫ（２５）及び第１ミラーＹ（２６）によって折り返される。
【００２６】
一方、ＬＤユニットＣ（２７）及びＬＤユニットＭ（２８）からの光ビームは、ＣＹＬ＿Ｃ（２９）及びＣＹＬ＿Ｍ（３０）を通り、ポリゴンミラー（２２）上部側の面に入射し、ポリゴンミラー（２２）が回転することにより光ビームを偏向し、ｆθレンズＢＫＣ（２３）及びｆθレンズＹＭ（２４）を通り、第１ミラーＣ（３１）及び第１ミラーＭ（３２）によって折り返される。
【００２７】
主走査方向の書き出し位置よりも上流側には、シリンダミラーＣＹＭ＿ＢＫＣ（３３）及びシリンダミラーＣＹＭ＿ＹＭ（３４）さらにはセンサＢＫＣ（３５）及びセンサＹＭ（３６）が配置されており、ｆθレンズＢＫＣ（２３）及びｆθレンズＹＭ（２４）を通った光ビームがシリンダミラーＣＹＭ＿ＢＫＣ（３３）及びＣＹＭ＿ＹＭ（３４）によって反射集光されて、センサＢＫＣ（３５）及びＹＭ（３６）に入射する構成となっている。これらのセンサＢＫＣ（３５）、センサＹＭ（３６）は、主走査方向の同期を取るための同期検知センサである。
【００２８】
主走査方向の画像領域よりも下流側には、上述した上流側と同様に、シリンダミラーＣＹＭ＿ＢＫＣ（３７）及びシリンダミラーＣＹＭ＿ＹＭ（３８）さらにはセンサＢＫＣ（３９）及びセンサＹＭ（４０）が配置されており、ｆθレンズＢＫＣ（２３）及びｆθレンズＹＭ（２４）を通った光ビームがシリンダミラーＣＹＭ＿ＢＫＣ（３７）及びＣＹＭ＿ＹＭ（３８）によって反射集光されて、センサＢＫＣ（３９）及びセンサＹＭ（４０）に入射する構成となっている。
【００２９】
また、ＬＤユニットＢＫ（１６）及びＬＤユニットＣ（２７）からの光ビームでは、書き出し側では共通のＣＹＭ＿ＢＫＣ（３３）ならびにセンサＢＫＣ（３５）、終了側では共通のＣＹＭ＿ＢＫＣ（３７）ならびにセンサＢＫＣ（３９）を使用している。ＬＤユニットＹ（１７）及びＬＤユニットＭ（２８）についても同様である。このように同じセンサに２色の光ビームが入射することとなるため、各色の光ビームのポリゴンミラー（２２）の入射角を異なるようにすることにより、それぞれの光ビームが各センサに入射するタイミングを変え、時系列的にパルス列として出力されるようになっている。図２からも分かるように、ＢＫとＣ及びＹとＭは逆方向に走査される。
【００３０】
図３は画素クロック形成手段の構成を示し、ＰＷＭクロック生成部５７、内部同期信号生成部５６、ＰＷＭデータ制御部５８を各色毎に備えている。これに対し、ＰＬＬ部５１は各色で共通に使用するものであり、単一のＰＬＬ部５１が各色のＰＷＭクロック生成部５７に対して、高周波クロック（ＰＬＬＣＬＫ）を出力するようになっている。なお、ＰＬＬ部５１は、図１０に示すと同じ構成となっているため、その説明を省略する。
【００３１】
各色のＰＷＭクロック生成部（５７）では、ＰＬＬ部（５１）からの高周波クロック（ＰＬＬＣＬＫ）を分周し、画素クロック（ＷＣＬＫ）を生成する。この場合、入力されるデータ（ＰＷＭＤＡＴ）に応じて、基準周波数、基準周波数より短い周期または基準周波数より長い周期のうちのどれを出力するかを選択できる構成となっている。
【００３２】
図４はＰＷＭクロックを生成する場合のタイミングチャートの一例を示す。例として、画素クロック（ＷＣＬＫ）の基準周波数が高周波クロック（ＰＬＬＣＬＫ）を８分周したクロックとすると、ＤＥＴＰ＿Ｎの立ち下がりを基準として、画素クロックを生成するカウンタが動作する。このとき、入力データ（ＰＷＭＤＡＴ［１：０］）が‘０ｈ’の場合は８分周、‘１ｈ’の場合は９分周、‘２ｈ’の場合は７分周となる。この画素クロック（ＷＣＬＫ）によって最終的にレーザを駆動するため、‘１ｈ’が入力された画素は１／８画素クロック分長くなり、‘２ｈ’が入力された画素は１／８画素クロック分短くなる。
【００３３】
内部同期信号生成部（５６）では画素クロックに同期した主走査同期検知信号（ＰＳＹＮＣ＿Ｎ）を生成する。
【００３４】
ＰＷＭデータ制御部（５８）では、ＰＷＭＤＡＴ［１：０］を制御する。図５はＰＷＭデータ制御部（５８）の一例のブロック図であり、図６はＰＷＭデータ制御のタイミングチャートである。
【００３５】
ＰＷＭデータ制御部（５８）に対しては、メインＣＰＵ（不図示）から１ライン中に挿入する基準周波数でない画素のパルス数（Ａ）、挿入周期（Ｂ）、データ（Ｃ）を設定できるものとする。内部同期検知信号（ＰＳＹＮＣ＿Ｎ）が入力されると、周期カウンタ（６０）はＷＣＬＫをカウントし、挿入周期（Ｂ）と等しくなった時にＤＰＰＬＳを出力した後、周期カウンタ（６０）はリセットし、再びカウントＵＰを行う。パルス数カウンタ（６１）は、ＤＰＰＬＳをカウントし、パルス数（Ａ）と等しくなった時に停止する。ＰＷＭデータ出力部（６２）では、このＤＰＰＬＳが’１’になった時にデータ（Ｃ）をＰＷＭＤＡＴ［１：０］として出力する。
【００３６】
このように、図１０に示す従来の構造では、２つの同期検知センサの通過時間を画素クロックでカウントしているのに対し、この実施の形態では、高周波クロック（ＰＬＬＣＬＫ）でカウントして測定し、カウント値と予め設定された基準カウント値の差をＡ，Ｂ，Ｃに反映することにより、主走査の倍率を補正するものである。
【００３７】
図７は、以上の構成によって主走査倍率を補正する場合のフローチャートを示し、請求項１〜３記載の発明に該当する。
【００３８】
倍率補正を行う場合、まず４色で共通のＰＬＬ部５１からの高周波クロック周波数を決定する必要がある。主走査倍率補正が開始されると、前回の倍率補正時に記憶したＰＬＬ部５１の設定値（Ｍ、Ｎ）でまず動作を行う（ステップＳ１１）。この状態で各色の先端と後端の２つの同期検知間をＰＬＬＣＬＫで測定し（ステップＳ１２）、基準値と測定値から各色の主走査倍率を算出する（ステップＳ１３）。続くステップＳ１４では、各色の主走査倍率値の中で基準となる１００％倍率から最もずれている色のずれ量（ΔＡ）を求める。
【００３９】
そして、この値と予め設定された規定値（Ｂ）と比較し（ステップＳ１５）、ずれ量が規定値以上の場合は、ＰＬＬ部５１の周波数を再設定する。すなわち、各色の主走査倍率の平均値を求め（ステップＳ１６）、例えば、各色の主走査倍率が、黒＝１０５％、マゼンタ＝１０３％、シアン＝１０２％、イエロー＝９９％となった場合は、平均値は、（１０２％＋１０３％＋１０５％＋９９％）／４＝１０２．２５％となり、高周波クロックの周波数が１０２．２５％になるように、ＰＬＬへ設定するＭ、Ｎの値を変更する（ステップＳ１７）。
【００４０】
ステップＳ１５において、主走査倍率ずれ量（ΔＡ）が規定値（Ｂ）未満の場合には、ＰＬＬ部５１の設定はそのままでステップＳ１８Ｋ以降の補正に移行する。
【００４１】
補正では、周波数が変更されたＰＬＬＣＬＫ、または前回補正時と同様のＰＬＬＣＬＫによって再度、各色で２点同期検知間測定を行い、残りの補正を１ライン中に挿入する基準周波数でない画素のパルス数（Ａ）、挿入周期（Ｂ）及びデータ（Ｃ）の設定で行う。ここで、ステップＳ１８Ｋ〜Ｓ２０Ｋは黒、ステップＳ１８Ｍ〜Ｓ２０Ｍはマゼンタ、ステップＳ１８Ｃ〜Ｓ２０Ｃはシアン、ステップＳ１８Ｙ〜Ｓ２０Ｙはイエローの各色における処理フローを示す。
【００４２】
例えば、黒の測定値が基準値に対して、４カウント多かった場合は、基準に対して４／８画素だけ短いので、４／８画素増やせば倍率が合うことになり、Ａ＝４、Ｃ＝１を設定する。Ｂの値は、１ラインの総画素数から１ライン中に４個入れる場合に最適な間隔を設定する。例えば、総画素数が１００００画素の場合には、２５００画素に１回の間隔で挿入すれば良いのでＢ＝２５００となる。この動作をマゼンタ、シアン、イエローついても実施することにより、各色の倍率が補正でき、色ずれを防止することができる。
【００４３】
図８は、本発明における別の実施の形態におけるフローチャートであり、請求項４記載の発明に該当する。この実施の形態では、複数の色間の主走査倍率の差が大きい場合に適用するものである。
【００４４】
この実施の形態において、倍率補正を行う場合、上述した実施の形態と同様に、前回の倍率補正時に記憶したＰＬＬの設定値（Ｍ、Ｎ）で動作を行う（ステップＳ３１）。この状態で各色の先端と後端の２つの同期検知間をＰＬＬＣＬＫで測定し（ステップＳ３２）、基準値と測定値から各色の主走査倍率を算出する（ステップＳ３３）。
【００４５】
ステップＳ３４では、各色の主走査倍率の平均値（ΔＣ）を求める。そして、平均値と予め設定された規定値（Ｄ）とを比較し（ステップＳ３５）、倍率が規定値以上の場合は、ＰＬＬの周波数を再設定する（ステップＳ３６、Ｓ３７）。以下、図７のフローチャートで示す動作と同様に残りの補正を１ライン中に挿入する基準周波数でない画素のパルス数（Ａ）、挿入周期（Ｂ）及びデータ（Ｃ）の設定で行う。この補正を各色について行うため、図８におけるステップＳ３８Ｋ〜Ｓ４０Ｋは黒、ステップＳ３８Ｍ〜Ｓ４０Ｍはマゼンタ、ステップＳ３８Ｃ〜Ｓ４０Ｃはシアン、ステップＳ３８Ｙ〜Ｓ４０Ｙはイエローの各色における処理フローを示す。
【００４６】
このような実施の形態では、各色の主走査倍率の平均値が規定値以上の場合にのみＰＬＬ部の発振周波数を変更するため、各色の主走査倍率のばらつきが大きい場合であっても、ＰＬＬ部の発振周波数の変更を頻繁に行う必要がなくなる。
【００４７】
図９は、本発明のさらに別の実施の形態におけるフローチャートであり、請求項５記載の発明に該当する。このフローチャートは転写紙のページが換わるときの制御を示す。
【００４８】
この実施の形態では、印字動作開始時には、図７及び図８と同じ動作を行うが、ページ間では、前回の倍率補正時に記憶したＰＬＬの設定値（Ｍ、Ｎ）で動作を行い（ステップＳ５１）、その後は図７のステップＳ１２〜Ｓ１７及び図８のステップＳ３２〜Ｓ３７に示す高周波クロックの周波数変更を行うことなく、１ライン中に挿入する基準周波数でない画素のパルス数（Ａ）、挿入周期（Ｂ）及びデータ（Ｃ）の設定のみによって主走査倍率補正を行う。ステップＳ５２Ｋ〜Ｓ５４Ｋは黒、ステップＳ５２Ｍ〜Ｓ５４Ｍはマゼンタ、ステップＳ５２Ｃ〜Ｓ５４Ｃはシアン、ステップＳ５２Ｙ〜Ｓ５４Ｙはイエローの各色における処理フローである。
【００４９】
図９に示す実施の形態では、ページ間ではＰＬＬ部の発振周波数の変更は行わず、基準周期でない画素クロックを挿入する画素数、挿入間隔の制御によって主走査倍率の補正を行うため、ページ間での処理時間を短くすることができ、印字速度の低下を抑えることができる。
【図面の簡単な説明】
【００５０】
【図１】カラー画像形成を行う一実施の形態の画像形成装置を示す側面図である。
【図２】画像形成装置における露光器を構成する光学ユニットの平面図である。
【図３】画素クロック生成手段のブロック図である。
【図４】画素クロック生成手段の作動のタイミングチャートである。
【図５】画素データ制御手段のブロック図である。
【図６】画素データ制御手段の作動のタイミングチャートである。
【図７】主走査倍率補正を行うフローチャートである。
【図８】本発明の別の実施の形態によって主走査倍率補正を行う場合のフローチャートである。
【図９】転写紙のページ間での制御を示すフローチャートである。
【図１０】従来の画像形成装置における画素クロック生成部のブロック図である。
【符号の説明】
【００５１】
５１    ＰＬＬ部
５６    内部同期信号生成部
５７    ＰＷＭクロック生成部
５８    ＰＷＭデータ制御部
６０    周期カウンタ
６１    パルス数カウンタ
６２    ＰＷＭデータ出力部
【図１】
2006044191.tif 000003
【図２】
2006044191.tif 000004
【図３】
2006044191.tif 000005
【図４】
2006044191.tif 000006
【図５】
2006044191.tif 000007
【図６】
2006044191.tif 000008
【図７】
2006044191.tif 000009
【図８】
2006044191.tif 000010
【図９】
2006044191.tif 000011
【図１０】
2006044191.tif 000012